(57)【要約】      （修正有）【課題】部品点数を削減して簡素な構造を実現し、薄型化および表示部周縁の狭額縁化が可能な表示装置を提供する。【解決手段】フロントベゼルとバックシャーシで形成される空間内に液晶セル２０２を含む映像を表示する部材を内蔵して構成する表示パネルアッセンブリ２００において、フロントベゼルはフロントキャビネットを兼用し、バックシャーシはバックキャビネットを兼用する。バックシャーシの背面には電源基板３０２と制御基板３０１を配設し、電源基板３０２および制御基板３０１を覆う第１のカバー部材４０１と、第１のカバー部材４０１と連結して概略逆Ｔ字形状を成し、他の構成部材を覆う第２のカバー部材４０２を取付ける。【選択図】図５
2014029421.tif 000002
【特許請求の範囲】
【請求項１】
樹脂製のフロントベゼルと金属製のバックシャーシで形成される空間内に映像を表示する部材を内蔵して構成する表示パネルアッセンブリにおいて、前記フロントベゼルと前記バックシャーシが装置の外観を成すことを特徴とする表示装置。
【請求項２】
前記表示パネルアッセンブリの背面側において、少なくとも電源回路と制御回路を含む基板を覆う第１のカバー部材と、前記第１のカバー部材よりも下方位置で前記第１のカバー部材よりも水平方向に長く形成された他の構成部材を覆う第２のカバー部材とを配設し、前記第１のカバー部材と前記第２のカバー部材によって概略逆Ｔ字形状を成すことを特徴とする請求項１に記載の表示装置。
【請求項３】
前記第２のカバー部材で覆うようにスピーカーを配設したことを特徴とする請求項２に記載の表示装置。
【請求項４】
前記表示パネルアッセンブリの構成部材には、光源と、液晶セルと、前記液晶セルとフレキシブルプリント配線板を介して接続された駆動回路基板を含み、前記光源は前記表示パネルアッセンブリの下方側に配設し、前記駆動回路基板は前記表示パネルアッセンブリの背面下側に配設し、少なくとも前記駆動回路基板は前記第２のカバー部材で覆われることを特徴とする請求項２または請求項３に記載の表示装置。
【請求項５】
前記第１のカバー部材および／または前記第２のカバー部材を配設する箇所を除く前記表示パネルアッセンブリの背面側において、前記バックシャーシと一体に段部を形成したことを特徴とする請求項２乃至請求項４の何れか１項に記載の表示装置。
【発明の詳細な説明】
【技術分野】
【０００１】
本発明は、映像を表示するモニターやテレビジョン受像機などの表示装置に関する。
【背景技術】
【０００２】
近年の表示装置は、高さ寸法及び幅寸法に比べて奥行き寸法が小さい液晶セルを備えた薄型の表示装置が主流となっている。このような薄型の表示装置には、電源を供給するための回路基板や、外部から入力される信号を制御して前記液晶セルに映像を表示させるための回路基板などが取付けられており、構造の簡素化や表示装置の軽量化、薄型化、或いは意匠性の向上を図るためにさまざまな工夫が施されている。
【０００３】
例えば、特許文献１では、表示窓を備えたフロントキャビネットと、このフロントキャビネットの後方に配置されるバックキャビネットによって構成される筐体の内部に、補強板を基準として、映像を表示する部材をフロントベゼルとバックシャーシで形成される空間内に内蔵して構成される表示パネルアッセンブリと各種回路基板を取付け一体化したものを取付ける構造とし、表示装置の組立て工数の低減及び表示装置の薄型化を実現した内容が記載されている。
【０００４】
また、特許文献２では、シャーシを基準として表示パネルアッセンブリと、各種基板と、スピーカーを含む全ての内部構成部品を取付けた後にフロントキャビネットとバックキャビネットを取付ける構造とし、表示装置の組立て作業及びメンテナンス作業の簡略化、さらにはフロントキャビネット及びバックキャビネットの形状簡素化を実現した内容が記載されている。
【０００５】
【特許文献１】特開２０００−３１５０５４号公報
【特許文献２】特開２００７−１６３８６１号公報
【発明の開示】
【発明が解決しようとする課題】
【０００６】
特許文献１及び特許文献２の構造によれば、補強板或いはシャーシに表示装置を構成する内部構成部品の一部若しくは全部を取付け一体化することによる組立て作業性の改善が望めるが、換言すれば、内部構成部品の一体化を図るために補強板やシャーシといった部品が必要になることから結果として部品点数が増加する。また、補強板或いはシャーシを基準に内部構成部品の取付けを行い、フロントキャビネットとバックキャビネットによって装置の外観を構成することから薄型化が困難となる。さらに、補強板或いはシャーシと一体化した内部構成部品を取付けるだけの大きさでフロントキャビネットとバックキャビネットを形成しており、特に表示パネルの前面側に位置するフロントキャビネットは、後方側より取付けられるバックキャビネットの大きさに依存することから、表示部周縁における幅寸法を小さくすることが困難となる。
【０００７】
本発明は上述した点に鑑みてなされたものであって、最小限の部品点数によって薄型で軽量な表示装置を提供することにある。また、組立て作業性が良好で安価な表示装置を提供することにある。さらに、表示部周縁の幅寸法を小さくした狭額縁化を実現し、意匠性の高い表示装置を提供することにある。加えて、表示装置の重心位置を下げることでスタンドの小型化を図っても安定性のある表示装置を提供することにある。
【０００８】
請求項１に係る表示装置は、樹脂製のフロントベゼルと金属製のバックシャーシで形成される空間内に映像を表示する部材を内蔵して構成する表示パネルアッセンブリにおいて、前記フロントベゼルと前記バックシャーシが装置の外観を成すことを特徴としている。
【０００９】
また、請求項２に係る表示装置は、請求項１に記載の表示装置であって、前記表示パネルアッセンブリの背面側において、少なくとも電源回路と制御回路を含む基板を覆う第１のカバー部材と、前記第１のカバー部材よりも下方位置で前記第１のカバー部材よりも水平方向に長く形成された他の構成部材を覆う第２のカバー部材とを配設し、前記第１のカバー部材と前記第２のカバー部材によって概略逆Ｔ字形状を成すことを特徴としている。
【００１０】
また、請求項３に係る表示装置は、請求項２に記載の表示装置であって、前記第２のカバー部材で覆うようにスピーカーを配設したことを特徴としている。
【００１１】
また、請求項４に係る表示装置は、請求項２または請求項３に記載の表示装置であって、前記表示パネルアッセンブリの構成部材には、光源と、液晶セルと、前記液晶セルとフレキシブルプリント配線板を介して接続された駆動回路基板を含み、前記光源は前記表示パネルアッセンブリの下方側に配設し、前記駆動回路基板は前記表示パネルアッセンブリの背面下側に配設し、少なくとも前記駆動回路基板は前記第２のカバー部材で覆われることを特徴としている。
【００１２】
また、請求項５に係る表示装置は、請求項２乃至請求項４の何れか１項に記載の表示装置であって、前記第１のカバー部材および／または前記第２のカバー部材を配設する箇所を除く前記表示パネルアッセンブリの背面側において、前記バックシャーシと一体に段部を形成したことを特徴としている。
【発明の効果】
【００１３】
以上のような本発明の構成によれば、表示パネルアッセンブリを構成する樹脂製のフロントベゼルが従来のフロントキャビネットを兼用し、金属製のバックシャーシが従来のバックキャビネットを兼用するため、前記表示パネルアッセンブリを基準に最小限の部品点数の組付けによって表示装置を構成出来、薄型で軽量な表示装置の提供が可能となる。また、表示パネルアッセンブリを基準に各種基板やスピーカー等の表示装置を構成する部品を順次組付けるだけの単純な作業によって表示装置を組立てることが出来、作業性の向上および安価な表示装置の提供が可能となる。さらに、フロントベゼルが従来のフロントキャビネットに代わって表示装置の外観を構成することで、前記フロントベゼルがそのまま表示装置における表示部周縁の幅寸法となることから、前記表示部周縁の狭額縁化が可能となり、意匠性の高い表示装置の提供が可能となる。加えて、表示装置の構成部品を表示パネルアッセンブリの比較的下側へ集約して配設することで、前記表示装置の重心を低い位置に定めることが出来、例えばスタンドの載置面積を小さくしても安易に転倒することの無い安定性のある表示装置の提供が可能となる。
【図面の簡単な説明】
【００１４】
【図１】本発明の実施例における表示装置を示す正面側斜視図。
【図２】本発明の実施例における表示パネルアッセンブリの構成を示す分解斜視図。
【図３】本発明の実施例におけるフロントベゼルの成形用金型を示す概略側面側断面図。
【図４】本発明の実施例におけるフロントベゼル単体の材料注入箇所を示す概略背面側部分拡大斜視図。
【図５】本発明の実施例における表示装置の構成を示す背面側分解斜視図。
【図６】本発明の実施例における第１のカバー部材の内面側を示す斜視図。
【図７】本発明の実施例における表示パネルアッセンブリの背面図。
【図８】本発明の別の実施例を示す表示パネルアッセンブリの背面図。
【図９】本発明の実施例における第２のカバー部材の内面側を示す分解斜視図。
【図１０】本発明の実施例における第１のカバー部材と第２のカバー部材の連結箇所を示す概略部分断面斜視図。
【図１１】本発明の実施例における表示装置を示す概略背面図。
【発明を実施するための形態】
【００１５】
以下、本発明を実施するための最良の形態としての実施例を図１〜図１１を用いて説明する。なお、本発明はその主旨に反しない範囲で、実施例において説明した構成以外のものに対しても容易に適用可能である。
【００１６】
図１は本発明の実施例における表示装置を示す正面側斜視図、図２は本発明の実施例における表示パネルアッセンブリの構成を示す分解斜視図である。同図の符号１００は表示装置、２００は前記表示装置１００の表示部を構成する表示パネルアッセンブリ、２０１はフロントベゼル、２０２は映像を表示する液晶セル、２０３は前記液晶セル２０２の後方側から光を透過する光源、２０４はバックシャーシ、２０５は前記光源２０３から照射される光を一方端面から受け入れて画面を均一に光らせるための導光板、２０６は前記導光板２０５によって誘導される光を拡散／集光するための光学シート、２０７は前記光学シート２０６の前方に位置するミドルフレーム、２０８は前記バックシャーシ２０４と前記導光板２０５の間に位置する反射シートを夫々表している。
【００１７】
本発明の実施例では、フロントベゼル２０１をポリスチレン等の樹脂材料で成形している。図３は本発明の実施例におけるフロントベゼルの成形用金型を示す概略側面側断面図、図４は本発明の実施例におけるフロントベゼル単体の材料注入箇所を示す概略背面側部分拡大斜視図である。同図で示すように、フロントベゼル２０１の背面側周縁の端部近傍には複数の材料注入箇所２０１ｊ，２０１ｊ，・・を設けている。そして、前記フロントベゼル２０１は固定側金型８００ｂにおいて材料の注入と成形品の離間を行うホットランナー成形で行っている。ホットランナー成形によって、スプルーやランナーの排出を抑えて成形品となるフロントベゼル２０１のみを排出することから余分な材料費を抑えることが出来る。また、材料注入箇所２０１ｊ，２０１ｊ，・・をフロントベゼル２０１の周縁端部近傍に設けることで、前記材料注入箇所２０１ｊと液晶セル２０２等の表示パネルアッセンブリ２００を構成する部品との干渉を防止出来る。そして、前記フロントベゼル２０１が表示パネルアッセンブリ２００の正面側を担うと共に、表示装置１００の正面側外装筐体を兼用しているため、別途正面側外装筐体を構成するフロントキャビネットが不要となり、薄型化および狭額縁化が可能な表示装置を提供することが出来る。なお、本発明におけるフロントベゼル２０１の材料はポリスチレンに限定するものではなく、一般的に樹脂と称される材料を適宜選定して用いれば良い。
【００１８】
また、本発明の実施例では、バックシャーシ２０４を鋼板等の金属部材で成形している。そして、前記バックシャーシ２０４が表示パネルアッセンブリ２００の背面側を担うと共に、表示装置１００の背面側外装筐体の一部を兼用しているため、別途背面側外装筐体を構成するバックキャビネットが不要となり、さらに薄型化が可能な表示装置を提供することが出来る。なお、本発明におけるバックシャーシ２０４の材料は鋼板に限定するものではなく、一般的に金属と称される材料を適宜選定して用いれば良い。
【００１９】
これらフロントベゼル２０１とバックシャーシ２０５を組付けることで形成される空間内には、液晶セル２０２および光源２０３を含む映像を表示するための各種部品を取付けることで表示パネルアッセンブリ２００が構成される。また、液晶セル２０２と駆動回路基板２０２ｂはフレキシブルプリント配線板２０２ｃ，２０２ｃ，・・を介して接続されている。そして、前記光源２０３は、前記表示パネルアッセンブリ２００の空間内において下方端部に配設され、前記駆動回路基板２０２ｂはバックシャーシ２０４の背面下側にねじ止めによって取付けられる。すなわち、前記表示パネルアッセンブリ２００の一方側に前記光源と前記駆動回路基板２０２ｂを配置することで、前記表示パネルアッセンブリ２００の他方側の厚み寸法を薄くすることが出来、表示部周縁の狭額縁化が一層可能となる。なお、本実施例の場合、表示パネルアッセンブリ２００の下方側に前記光源および前記駆動回路基板２０２ｂを集約して前記表示パネルアッセンブリ２００の上方側の厚み寸法を薄くする構成としているが、本発明は前述の構成に限定するものではなく上下左右の何れか一方に集約することが出来、表示装置の構造に応じて適宜選定すれば良い。
【００２０】
以上のように構成された表示パネルアッセンブリ２００は、樹脂製のフロントベゼル２０１によって従来のフロントキャビネットを兼用し、また、金属製のバックシャーシ２０４によって従来のバックキャビネットを兼用しているため、従来必要とされていた外装部品の削減に加え、表示装置の薄型化および軽量化、さらには表示部周縁の狭額縁化が実現可能となる。
【００２１】
つぎに、前記表示パネルアッセンブリ２００を含めた表示装置の構成について説明する。図５は本発明の実施例における表示装置の構成を示す背面側分解斜視図である。前記表示パネルアッセンブリ２００の背面下側には前述の駆動回路基板２０２ｂが取付けてあり、略中央付近には切起しや曲げ加工等によって基板取付部（図示なし）が形成されている。本実施例では、前記基板取付部に対し、表示装置に電源を供給するための電源回路を含む基板（以下、単に電源基板と称す）３０１と、外部から入力される信号を制御して表示パネルアッセンブリ２００の表示部たる液晶セル２０２へ表示するための制御回路を含む基板（以下、単に制御基板と称す）３０２を取付ける構造としている。そして、前記基板取付部に取付けられた前記電源基板３０１と前記制御基板３０２を覆う大きさのカバー部材（以下、第１のカバー部材と称す）４０１を取付けている。
【００２２】
図６は本発明の実施例における第１のカバー部材の内面側を示す斜視図である。同図で示すように、前記第１のカバー部材４０１の内部には前記電源基板３０１と前記制御基板３０２を仕切るための仕切リブ４０１ａが形成されている。これは、制御基板３０２の部品や線材が高電圧の電源基板３０１の部品に接触することによる破壊や故障の危険性を防止する目的で設けられている。なお、電源基板３０１および制御基板３０２の取付けは本実施例の構成に限定するものではなく、例えば、第１のカバー部材４０１の内面側に基板取付部を形成して前記基板を取付ける構成としても良い。また、本実施例は電源回路と制御回路を別々の基板とした構成で説明したが、電源回路と制御回路を１つの基板にまとめた構成であっても良い。
【００２３】
図７は本発明の実施例における表示パネルアッセンブリの背面図である。同図で示すように、前記バックシャーシ２０４には、絞り加工によって段部２０４ｋ，２０４ｋ，・・が連続形成されている。本実施例について具体的に詳述すれば、前記バックシャーシ２０４の全周と、前記バックシャーシ２０４を略三等分する位置に夫々前記段部２０４ｋ，２０４ｋ，・・を形成している。前記段部２０４ｋ，２０４ｋ，・・は、表示パネルアッセンブリ２００の補強効果に加え、前記バックシャーシ２０４の背面２０４ａと、前記背面２０４ａに取付けられる第１のカバー部材４０１との間の隙間を無くし、光源から照射される光が基板取付部等から表示装置１００の外部へ漏れるのを防止する効果を奏する。なお、前記表示パネルアッセンブリ２００の補強強化を目的に、前記段部２０４ｋ，２０４ｋ，・・に傾斜部分を追加して概略三角状としたり、複数の傾斜部分を直交して形成しても良い。図８は本発明の別の実施例を示す表示パネルアッセンブリの背面図である。同図で示すように、概略三角形状の段部２０４ｍ，２０４ｍを設けることで表示パネルアッセンブリ２００の強度をさらに高めることが出来る。
【００２４】
図９は本発明の実施例における第２のカバー部材の内面側を示す分解斜視図、図１０は本発明の実施例における第１のカバー部材と第２のカバー部材の連結箇所を示す概略部分断面斜視図、図１１は本発明の実施例における表示装置を示す概略背面図である。前記駆動回路基板２０２ｂおよび前記支持板５００が取付けられた表示パネルアッセンブリ２００の背面下側を覆う大きさのカバー部材（以下、第２のカバー部材と称す）４０２を取付けており、同図で示すように、本実施例では、第２のカバー部材４０２にスピーカー取付部４０２ａ，４０２ａと、操作部４０２ｂと、操作基板取付部４０２ｃと、受発光基板取付部４０２ｄが形成されている。
【００２５】
前記第２のカバー部材４０２に形成されたスピーカー取付部４０２ａ，４０２ａには、ダンパー７００ａ，７００ａ，・・を介してスピーカー７００，７００が取付けられる。また、前記第２のカバー部材４０２の一方側面には、複数の押圧部を有する操作部４０２ｂが一体に形成されており、前記操作部４０２ｂの内面側には複数のスイッチが配設された操作基板３０３を取付けるための操作基板取付部４０２ｃが形成されている。そして、前記操作基板取付部４０２ｃに前記操作基板３０３が取付けられている。さらに、前記第２のカバー部材４０２には、受光部と発光部が配設された受発光基板３０４を取付けるための受発光基板取付部４０２ｄが形成されている。そして、前記受発光基板取付部４０２ｄに前記受発光基板３０４が取付けられている。なお、表示パネルアッセンブリ２００に前記第２のカバー部材を取付けることで前記受発光基板３０４と対向位置にあるフロントベゼル２０１には、表示装置１００を遠隔操作するリモコンの信号を受光部へ誘導する受光誘導部２０１ｈと、前記表示装置１００の状態を視覚的に認識するための発光部の光を外部へ誘導する発光誘導部２０１ｉが設けられている。
【００２６】
さらに、前記第１のカバー部材４０１と前記第２のカバー部材４０２は、表示パネルアッセンブリ２００の背面側に取付けることで連結する構造としている。すなわち、前記第１のカバー部材４０１の下方側には、ねじを挿通する締結ボス４０１ｃを設け、前記第２のカバー部材４０２の上方側には、前記締結ボス４０１ｃと重合してねじを挿通する連結ボス４０２ｉを設けている。そして、前記第１のカバー部材４０１と前記第２のカバー部材４０２を前記表示パネルアッセンブリ２００の背面側に取付け、締結ボス４０１ｃと連結ボス４０２ｉを重合し、ねじにて締結することで、前記第１のカバー部材４０１と前記第２のカバー部材４０２を連結した状態で取付けることが出来る。
【００２７】
前記第１のカバー部材４０１と前記第２のカバー部材４０２を連結することで概略逆Ｔ字形状を成し、前記表示装置１００の補強が可能となる。具体的には、前記表示パネルアッセンブリ２００の幅とほぼ同じ寸法を有する第２のカバー部材４０２を取付けることで前記表示装置１００の横方向の剛性をもたせることが出来、さらに第１のカバー部材４０１を前記第２のカバー部材４０２と連結することで、前記表示装置１００の縦方向の剛性をもたせることが出来る。
【００２８】
なお、本発明の実施例では、表示パネルアッセンブリ２００の背面側を成すバックシャーシ２０４を第１のカバー部材４０１と第２のカバー部材４０２と同色で塗装するのが望ましく、特に黒色で塗装するのが好ましい。これは、前記バックシャーシ２０４の一部が、第１のカバー部材４０１と第２のカバー部材４０２と共に表示装置１００の背面外装部分となるためである。また、別の効果として、前記バックシャーシ２０４を黒色で塗装することにより、各種基板に配設された発熱部品の放熱効果が望める。
【００２９】
以上、本発明の実施例について詳述したが、本発明は前記実施例に限定されるものではなく、本発明の主旨の範囲内で種々の変形実施が可能である。
【符号の説明】
【００３０】
１００    表示装置
２００    表示パネルアッセンブリ
２０１    フロントベゼル
２０１ｈ  受光誘導部
２０１ｉ  発光誘導部
２０１ｊ  材料注入箇所
２０２    液晶セル
２０２ｂ  駆動回路基板
２０２ｃ  フレキシブルプリント配線板
２０３    光源
２０４    バックシャーシ
２０４ｋ  段部
２０４ｍ  段部
２０５    導光板
２０６    光学シート
２０７    ミドルフレーム
２０８    反射シート
３０１    電源基板
３０２    制御基板
３０３    操作基板
３０４    受発光基板
４０１    第１のカバー部材
４０１ａ  仕切リブ
４０１ｃ  締結ボス
４０２    第２のカバー部材
４０２ａ  スピーカー取付部
４０２ｂ  操作部
４０２ｃ  操作基板取付部
４０２ｄ  受発光基板取付部
４０２ｅ  微細孔
４０２ｉ  連結ボス
５００    支持板
６００    スタンド
７００    スピーカー
７００ａ  ダンパー
８００    金型
８００ａ  可動側金型
８００ｂ  固定側金型
【図１】
2014029421.tif 000003
【図２】
2014029421.tif 000004
【図３】
2014029421.tif 000005
【図４】
2014029421.tif 000006
【図５】
2014029421.tif 000007
【図６】
2014029421.tif 000008
【図７】
2014029421.tif 000009
【図８】
2014029421.tif 000010
【図９】
2014029421.tif 000011
【図１０】
2014029421.tif 000012
【図１１】
2014029421.tif 000013
【手続補正書】
【提出日】平成25年1月17日(2013.1.17)
【手続補正１】
【補正対象書類名】明細書
【補正対象項目名】全文
【補正方法】変更
【補正の内容】
【発明の詳細な説明】
【技術分野】
【０００１】
本発明は、映像を表示するモニターやテレビジョン受像機などの表示装置に関する。
【背景技術】
【０００２】
近年の表示装置は、高さ寸法及び幅寸法に比べて奥行き寸法が小さい液晶セルを備えた薄型の表示装置が主流となっている。このような薄型の表示装置には、電源を供給するための回路基板や、外部から入力される信号を制御して前記液晶セルに映像を表示させるための回路基板などが取付けられており、構造の簡素化や表示装置の軽量化、薄型化、或いは意匠性の向上を図るためにさまざまな工夫が施されている。
【０００３】
例えば、特許文献１では、表示窓を備えたフロントキャビネットと、このフロントキャビネットの後方に配置されるバックキャビネットによって構成される筐体の内部に、補強板を基準として、映像を表示する部材をフロントベゼルとバックシャーシで形成される空間内に内蔵して構成される表示パネルアッセンブリと各種回路基板を取付け一体化したものを取付ける構造とし、表示装置の組立て工数の低減及び表示装置の薄型化を実現した内容が記載されている。
【０００４】
また、特許文献２では、シャーシを基準として表示パネルアッセンブリと、各種基板と、スピーカーを含む全ての内部構成部品を取付けた後にフロントキャビネットとバックキャビネットを取付ける構造とし、表示装置の組立て作業及びメンテナンス作業の簡略化、さらにはフロントキャビネット及びバックキャビネットの形状簡素化を実現した内容が記載されている。
【０００５】
【特許文献１】特開２０００−３１５０５４号公報
【特許文献２】特開２００７−１６３８６１号公報
【発明の開示】
【発明が解決しようとする課題】
【０００６】
特許文献１及び特許文献２の構造によれば、補強板或いはシャーシに表示装置を構成する内部構成部品の一部若しくは全部を取付け一体化することによる組立て作業性の改善が望めるが、換言すれば、内部構成部品の一体化を図るために補強板やシャーシといった部品が必要になることから結果として部品点数が増加する。また、補強板或いはシャーシを基準に内部構成部品の取付けを行い、フロントキャビネットとバックキャビネットによって装置の外観を構成することから薄型化が困難となる。さらに、補強板或いはシャーシと一体化した内部構成部品を取付けるだけの大きさでフロントキャビネットとバックキャビネットを形成しており、特に表示パネルの前面側に位置するフロントキャビネットは、後方側より取付けられるバックキャビネットの大きさに依存することから、表示部周縁における幅寸法を小さくすることが困難となる。
【０００７】
本発明は上述した点に鑑みてなされたものであって、最小限の部品点数によって薄型で軽量な表示装置を提供することにある。また、組立て作業性が良好で安価な表示装置を提供することにある。さらに、表示部周縁の幅寸法を小さくした狭額縁化を実現し、意匠性の高い表示装置を提供することにある。加えて、表示装置の重心位置を下げることでスタンドの小型化を図っても安定性のある表示装置を提供することにある。
【０００８】
請求項１に係る表示装置は、樹脂製のフロントベゼルと金属製のバックシャーシで形成される空間内に映像を表示する部材を内蔵して構成する表示パネルアッセンブリにおいて、前記フロントベゼルと前記バックシャーシが装置の外観を成すことを特徴としている。
【０００９】
また、請求項２に係る表示装置は、請求項１に記載の表示装置であって、前記表示パネルアッセンブリの背面側において、少なくとも電源回路と制御回路を含む基板を覆う第１のカバー部材と、前記第１のカバー部材よりも下方位置で前記第１のカバー部材よりも水平方向に長く形成された他の構成部材を覆う第２のカバー部材とを配設し、前記第１のカバー部材と前記第２のカバー部材によって概略逆Ｔ字形状を成すことを特徴としている。
【００１０】
また、請求項３に係る表示装置は、請求項２に記載の表示装置であって、前記第２のカバー部材で覆うようにスピーカーを配設したことを特徴としている。
【００１１】
また、請求項４に係る表示装置は、請求項２または請求項３に記載の表示装置であって、前記表示パネルアッセンブリの構成部材には、光源と、液晶セルと、前記液晶セルとフレキシブルプリント配線板を介して接続された駆動回路基板を含み、前記光源は前記表示パネルアッセンブリの下方側に配設し、前記駆動回路基板は前記表示パネルアッセンブリの背面下側に配設し、少なくとも前記駆動回路基板は前記第２のカバー部材で覆われることを特徴としている。
【００１２】
また、請求項５に係る表示装置は、請求項２乃至請求項４の何れか１項に記載の表示装置であって、前記第１のカバー部材および／または前記第２のカバー部材を配設する箇所を除く前記表示パネルアッセンブリの背面側において、前記バックシャーシと一体に段部を形成したことを特徴としている。
【発明の効果】
【００１３】
以上のような本発明の構成によれば、表示パネルアッセンブリを構成する樹脂製のフロントベゼルが従来のフロントキャビネットを兼用し、金属製のバックシャーシが従来のバックキャビネットを兼用するため、前記表示パネルアッセンブリを基準に最小限の部品点数の組付けによって表示装置を構成出来、薄型で軽量な表示装置の提供が可能となる。また、表示パネルアッセンブリを基準に各種基板やスピーカー等の表示装置を構成する部品を順次組付けるだけの単純な作業によって表示装置を組立てることが出来、作業性の向上および安価な表示装置の提供が可能となる。さらに、フロントベゼルが従来のフロントキャビネットに代わって表示装置の外観を構成することで、前記フロントベゼルがそのまま表示装置における表示部周縁の幅寸法となることから、前記表示部周縁の狭額縁化が可能となり、意匠性の高い表示装置の提供が可能となる。加えて、表示装置の構成部品を表示パネルアッセンブリの比較的下側へ集約して配設することで、前記表示装置の重心を低い位置に定めることが出来、例えばスタンドの載置面積を小さくしても安易に転倒することの無い安定性のある表示装置の提供が可能となる。
【図面の簡単な説明】
【００１４】
【図１】本発明の実施例における表示装置を示す正面側斜視図。
【図２】本発明の実施例における表示パネルアッセンブリの構成を示す分解斜視図。
【図３】本発明の実施例におけるフロントベゼルの成形用金型を示す概略側面側断面図。
【図４】本発明の実施例におけるフロントベゼル単体の材料注入箇所を示す概略背面側部分拡大斜視図。
【図５】本発明の実施例における表示装置の構成を示す背面側分解斜視図。
【図６】本発明の実施例における第１のカバー部材の内面側を示す斜視図。
【図７】本発明の実施例における表示パネルアッセンブリの背面図。
【図８】本発明の別の実施例を示す表示パネルアッセンブリの背面図。
【図９】本発明の実施例における第２のカバー部材の内面側を示す分解斜視図。
【図１０】本発明の実施例における第１のカバー部材と第２のカバー部材の連結箇所を示す概略部分断面斜視図。
【図１１】本発明の実施例における表示装置を示す概略背面図。
【発明を実施するための形態】
【００１５】
以下、本発明を実施するための最良の形態としての実施例を図１〜図１１を用いて説明する。なお、本発明はその主旨に反しない範囲で、実施例において説明した構成以外のものに対しても容易に適用可能である。
【００１６】
図１は本発明の実施例における表示装置を示す正面側斜視図、図２は本発明の実施例における表示パネルアッセンブリの構成を示す分解斜視図である。同図の符号１００は表示装置、２００は前記表示装置１００の表示部を構成する表示パネルアッセンブリ、２０１はフロントベゼル、２０２は映像を表示する液晶セル、２０３は前記液晶セル２０２の後方側から光を透過する光源、２０４はバックシャーシ、２０５は前記光源２０３から照射される光を一方端面から受け入れて画面を均一に光らせるための導光板、２０６は前記導光板２０５によって誘導される光を拡散／集光するための光学シート、２０７は前記光学シート２０６の前方に位置するミドルフレーム、２０８は前記バックシャーシ２０４と前記導光板２０５の間に位置する反射シートを夫々表している。
【００１７】
本発明の実施例では、フロントベゼル２０１をポリスチレン等の樹脂材料で成形している。図３は本発明の実施例におけるフロントベゼルの成形用金型を示す概略側面側断面図、図４は本発明の実施例におけるフロントベゼル単体の材料注入箇所を示す概略背面側部分拡大斜視図である。同図で示すように、フロントベゼル２０１の背面側周縁の端部近傍には複数の材料注入箇所２０１ｊ，２０１ｊ，・・を設けている。そして、前記フロントベゼル２０１は固定側金型８００ｂにおいて材料の注入と成形品の離間を行うホットランナー成形で行っている。ホットランナー成形によって、スプルーやランナーの排出を抑えて成形品となるフロントベゼル２０１のみを排出することから余分な材料費を抑えることが出来る。また、材料注入箇所２０１ｊ，２０１ｊ，・・をフロントベゼル２０１の周縁端部近傍に設けることで、前記材料注入箇所２０１ｊと液晶セル２０２等の表示パネルアッセンブリ２００を構成する部品との干渉を防止出来る。そして、前記フロントベゼル２０１が表示パネルアッセンブリ２００の正面側を担うと共に、表示装置１００の正面側外装筐体を兼用しているため、別途正面側外装筐体を構成するフロントキャビネットが不要となり、薄型化および狭額縁化が可能な表示装置を提供することが出来る。なお、本発明におけるフロントベゼル２０１の材料はポリスチレンに限定するものではなく、一般的に樹脂と称される材料を適宜選定して用いれば良い。
【００１８】
また、本発明の実施例では、バックシャーシ２０４を鋼板等の金属部材で成形している。そして、前記バックシャーシ２０４が表示パネルアッセンブリ２００の背面側を担うと共に、表示装置１００の背面側外装筐体の一部を兼用しているため、別途背面側外装筐体を構成するバックキャビネットが不要となり、さらに薄型化が可能な表示装置を提供することが出来る。なお、本発明におけるバックシャーシ２０４の材料は鋼板に限定するものではなく、一般的に金属と称される材料を適宜選定して用いれば良い。
【００１９】
これらフロントベゼル２０１とバックシャーシ２０５を組付けることで形成される空間内には、液晶セル２０２および光源２０３を含む映像を表示するための各種部品を取付けることで表示パネルアッセンブリ２００が構成される。また、液晶セル２０２と駆動回路基板２０２ｂはフレキシブルプリント配線板２０２ｃ，２０２ｃ，・・を介して接続されている。そして、前記光源２０３は、前記表示パネルアッセンブリ２００の空間内において下方端部に配設され、前記駆動回路基板２０２ｂはバックシャーシ２０４の背面下側にねじ止めによって取付けられる。すなわち、前記表示パネルアッセンブリ２００の一方側に前記光源と前記駆動回路基板２０２ｂを配置することで、前記表示パネルアッセンブリ２００の他方側の厚み寸法を薄くすることが出来、表示部周縁の狭額縁化が一層可能となる。なお、本実施例の場合、表示パネルアッセンブリ２００の下方側に前記光源および前記駆動回路基板２０２ｂを集約して前記表示パネルアッセンブリ２００の上方側の厚み寸法を薄くする構成としているが、本発明は前述の構成に限定するものではなく上下左右の何れか一方に集約することが出来、表示装置の構造に応じて適宜選定すれば良い。
【００２０】
以上のように構成された表示パネルアッセンブリ２００は、樹脂製のフロントベゼル２０１によって従来のフロントキャビネットを兼用し、また、金属製のバックシャーシ２０４によって従来のバックキャビネットを兼用しているため、従来必要とされていた外装部品の削減に加え、表示装置の薄型化および軽量化、さらには表示部周縁の狭額縁化が実現可能となる。
【００２１】
つぎに、前記表示パネルアッセンブリ２００を含めた表示装置の構成について説明する。図５は本発明の実施例における表示装置の構成を示す背面側分解斜視図である。前記表示パネルアッセンブリ２００の背面下側には前述の駆動回路基板２０２ｂが取付けてあり、略中央付近には切起しや曲げ加工等によって基板取付部（図示なし）が形成されている。本実施例では、前記基板取付部に対し、表示装置に電源を供給するための電源回路を含む基板（以下、単に電源基板と称す）３０２と、外部から入力される信号を制御して表示パネルアッセンブリ２００の表示部たる液晶セル２０２へ表示するための制御回路を含む基板（以下、単に制御基板と称す）３０１を取付ける構造としている。そして、前記基板取付部に取付けられた前記電源基板３０２と前記制御基板３０１を覆う大きさのカバー部材（以下、第１のカバー部材と称す）４０１を取付けている。
【００２２】
図６は本発明の実施例における第１のカバー部材の内面側を示す斜視図である。同図で示すように、前記第１のカバー部材４０１の内部には前記電源基板３０２と前記制御基板３０１を仕切るための仕切リブ４０１ａが形成されている。これは、制御基板３０１の部品や線材が高電圧の電源基板３０２の部品に接触することによる破壊や故障の危険性を防止する目的で設けられている。なお、電源基板３０２および制御基板３０１の取付けは本実施例の構成に限定するものではなく、例えば、第１のカバー部材４０１の内面側に基板取付部を形成して前記基板を取付ける構成としても良い。また、本実施例は電源回路と制御回路を別々の基板とした構成で説明したが、電源回路と制御回路を１つの基板にまとめた構成であっても良い。
【００２３】
図７は本発明の実施例における表示パネルアッセンブリの背面図である。同図で示すように、前記バックシャーシ２０４には、絞り加工によって段部２０４ｋ，２０４ｋ，・・が連続形成されている。本実施例について具体的に詳述すれば、前記バックシャーシ２０４の全周と、前記バックシャーシ２０４を略三等分する位置に夫々前記段部２０４ｋ，２０４ｋ，・・を形成している。前記段部２０４ｋ，２０４ｋ，・・は、表示パネルアッセンブリ２００の補強効果に加え、前記バックシャーシ２０４の背面２０４ａと、前記背面２０４ａに取付けられる第１のカバー部材４０１との間の隙間を無くし、光源から照射される光が基板取付部等から表示装置１００の外部へ漏れるのを防止する効果を奏する。なお、前記表示パネルアッセンブリ２００の補強強化を目的に、前記段部２０４ｋ，２０４ｋ，・・に傾斜部分を追加して概略三角状としたり、複数の傾斜部分を直交して形成しても良い。図８は本発明の別の実施例を示す表示パネルアッセンブリの背面図である。同図で示すように、概略三角形状の段部２０４ｍ，２０４ｍを設けることで表示パネルアッセンブリ２００の強度をさらに高めることが出来る。
【００２４】
図９は本発明の実施例における第２のカバー部材の内面側を示す分解斜視図、図１０は本発明の実施例における第１のカバー部材と第２のカバー部材の連結箇所を示す概略部分断面斜視図、図１１は本発明の実施例における表示装置を示す概略背面図である。前記駆動回路基板２０２ｂおよび前記支持板５００が取付けられた表示パネルアッセンブリ２００の背面下側を覆う大きさのカバー部材（以下、第２のカバー部材と称す）４０２を取付けており、同図で示すように、本実施例では、第２のカバー部材４０２にスピーカー取付部４０２ａ，４０２ａと、操作部４０２ｂと、操作基板取付部４０２ｃと、受発光基板取付部４０２ｄが形成されている。
【００２５】
前記第２のカバー部材４０２に形成されたスピーカー取付部４０２ａ，４０２ａには、ダンパー７００ａ，７００ａ，・・を介してスピーカー７００，７００が取付けられる。また、前記第２のカバー部材４０２の一方側面には、複数の押圧部を有する操作部４０２ｂが一体に形成されており、前記操作部４０２ｂの内面側には複数のスイッチが配設された操作基板３０３を取付けるための操作基板取付部４０２ｃが形成されている。そして、前記操作基板取付部４０２ｃに前記操作基板３０３が取付けられている。さらに、前記第２のカバー部材４０２には、受光部と発光部が配設された受発光基板３０４を取付けるための受発光基板取付部４０２ｄが形成されている。そして、前記受発光基板取付部４０２ｄに前記受発光基板３０４が取付けられている。なお、表示パネルアッセンブリ２００に前記第２のカバー部材を取付けることで前記受発光基板３０４と対向位置にあるフロントベゼル２０１には、表示装置１００を遠隔操作するリモコンの信号を受光部へ誘導する受光誘導部２０１ｈと、前記表示装置１００の状態を視覚的に認識するための発光部の光を外部へ誘導する発光誘導部２０１ｉが設けられている。
【００２６】
さらに、前記第１のカバー部材４０１と前記第２のカバー部材４０２は、表示パネルアッセンブリ２００の背面側に取付けることで連結する構造としている。すなわち、前記第１のカバー部材４０１の下方側には、ねじを挿通する締結ボス４０１ｃを設け、前記第２のカバー部材４０２の上方側には、前記締結ボス４０１ｃと重合してねじを挿通する連結ボス４０２ｉを設けている。そして、前記第１のカバー部材４０１と前記第２のカバー部材４０２を前記表示パネルアッセンブリ２００の背面側に取付け、締結ボス４０１ｃと連結ボス４０２ｉを重合し、ねじにて締結することで、前記第１のカバー部材４０１と前記第２のカバー部材４０２を連結した状態で取付けることが出来る。
【００２７】
前記第１のカバー部材４０１と前記第２のカバー部材４０２を連結することで概略逆Ｔ字形状を成し、前記表示装置１００の補強が可能となる。具体的には、前記表示パネルアッセンブリ２００の幅とほぼ同じ寸法を有する第２のカバー部材４０２を取付けることで前記表示装置１００の横方向の剛性をもたせることが出来、さらに第１のカバー部材４０１を前記第２のカバー部材４０２と連結することで、前記表示装置１００の縦方向の剛性をもたせることが出来る。
【００２８】
なお、本発明の実施例では、表示パネルアッセンブリ２００の背面側を成すバックシャーシ２０４を第１のカバー部材４０１と第２のカバー部材４０２と同色で塗装するのが望ましく、特に黒色で塗装するのが好ましい。これは、前記バックシャーシ２０４の一部が、第１のカバー部材４０１と第２のカバー部材４０２と共に表示装置１００の背面外装部分となるためである。また、別の効果として、前記バックシャーシ２０４を黒色で塗装することにより、各種基板に配設された発熱部品の放熱効果が望める。
【００２９】
以上、本発明の実施例について詳述したが、本発明は前記実施例に限定されるものではなく、本発明の主旨の範囲内で種々の変形実施が可能である。
【符号の説明】
【００３０】
１００    表示装置
２００    表示パネルアッセンブリ
２０１    フロントベゼル
２０１ｈ  受光誘導部
２０１ｉ  発光誘導部
２０１ｊ  材料注入箇所
２０２    液晶セル
２０２ｂ  駆動回路基板
２０２ｃ  フレキシブルプリント配線板
２０３    光源
２０４    バックシャーシ
２０４ｋ  段部
２０４ｍ  段部
２０５    導光板
２０６    光学シート
２０７    ミドルフレーム
２０８    反射シート
３０１    制御基板
３０２    電源基板
３０３    操作基板
３０４    受発光基板
４０１    第１のカバー部材
４０１ａ  仕切リブ
４０１ｃ  締結ボス
４０２    第２のカバー部材
４０２ａ  スピーカー取付部
４０２ｂ  操作部
４０２ｃ  操作基板取付部
４０２ｄ  受発光基板取付部
４０２ｅ  微細孔
４０２ｉ  連結ボス
５００    支持板
６００    スタンド
７００    スピーカー
７００ａ  ダンパー
８００    金型
８００ａ  可動側金型
８００ｂ  固定側金型
【手続補正書】
【提出日】平成25年4月15日(2013.4.15)
【手続補正１】
【補正対象書類名】特許請求の範囲
【補正対象項目名】全文
【補正方法】変更
【補正の内容】
【特許請求の範囲】
【請求項１】
樹脂製のフロントベゼルと金属製のバックシャーシで形成される空間内に映像を表示する部材を内蔵して構成する表示パネルアッセンブリにおいて、前記映像を表示する部材には液晶セルと光源を含み、前記フロントベゼルと前記バックシャーシが装置の外観を成すことを特徴とする表示装置。
【請求項２】
前記表示パネルアッセンブリの背面側において、少なくとも電源回路と制御回路を含む基板を覆う第１のカバー部材と、前記第１のカバー部材よりも下方位置で前記第１のカバー部材よりも水平方向に長く形成された他の構成部材を覆う第２のカバー部材とを配設し、前記第１のカバー部材と前記第２のカバー部材によって概略逆Ｔ字形状を成すことを特徴とする請求項１に記載の表示装置。
【請求項３】
前記第２のカバー部材で覆うようにスピーカーを配設したことを特徴とする請求項２に記載の表示装置。
【請求項４】
前記表示パネルアッセンブリの構成部材には、光源と、液晶セルと、前記液晶セルとフレキシブルプリント配線板を介して接続された駆動回路基板を含み、前記光源は前記表示パネルアッセンブリの下方側に配設し、前記駆動回路基板は前記表示パネルアッセンブリの背面下側に配設し、少なくとも前記駆動回路基板は前記第２のカバー部材で覆われることを特徴とする請求項２または請求項３に記載の表示装置。
【請求項５】
前記第１のカバー部材および／または前記第２のカバー部材を配設する箇所を除く前記表示パネルアッセンブリの背面側において、前記バックシャーシと一体に段部を形成したことを特徴とする請求項２乃至請求項４の何れか１項に記載の表示装置。
【手続補正２】
【補正対象書類名】明細書
【補正対象項目名】全文
【補正方法】変更
【補正の内容】
【発明の詳細な説明】
【技術分野】
【０００１】
本発明は、映像を表示するモニターやテレビジョン受像機などの表示装置に関する。
【背景技術】
【０００２】
近年の表示装置は、高さ寸法及び幅寸法に比べて奥行き寸法が小さい液晶セルを備えた薄型の表示装置が主流となっている。このような薄型の表示装置には、電源を供給するための回路基板や、外部から入力される信号を制御して前記液晶セルに映像を表示させるための回路基板などが取付けられており、構造の簡素化や表示装置の軽量化、薄型化、或いは意匠性の向上を図るためにさまざまな工夫が施されている。
【０００３】
例えば、特許文献１では、表示窓を備えたフロントキャビネットと、このフロントキャビネットの後方に配置されるバックキャビネットによって構成される筐体の内部に、補強板を基準として、映像を表示する部材をフロントベゼルとバックシャーシで形成される空間内に内蔵して構成される表示パネルアッセンブリと各種回路基板を取付け一体化したものを取付ける構造とし、表示装置の組立て工数の低減及び表示装置の薄型化を実現した内容が記載されている。
【０００４】
また、特許文献２では、シャーシを基準として表示パネルアッセンブリと、各種基板と、スピーカーを含む全ての内部構成部品を取付けた後にフロントキャビネットとバックキャビネットを取付ける構造とし、表示装置の組立て作業及びメンテナンス作業の簡略化、さらにはフロントキャビネット及びバックキャビネットの形状簡素化を実現した内容が記載されている。
【０００５】
【特許文献１】特開２０００−３１５０５４号公報
【特許文献２】特開２００７−１６３８６１号公報
【発明の開示】
【発明が解決しようとする課題】
【０００６】
特許文献１及び特許文献２の構造によれば、補強板或いはシャーシに表示装置を構成する内部構成部品の一部若しくは全部を取付け一体化することによる組立て作業性の改善が望めるが、換言すれば、内部構成部品の一体化を図るために補強板やシャーシといった部品が必要になることから結果として部品点数が増加する。また、補強板或いはシャーシを基準に内部構成部品の取付けを行い、フロントキャビネットとバックキャビネットによって装置の外観を構成することから薄型化が困難となる。さらに、補強板或いはシャーシと一体化した内部構成部品を取付けるだけの大きさでフロントキャビネットとバックキャビネットを形成しており、特に表示パネルの前面側に位置するフロントキャビネットは、後方側より取付けられるバックキャビネットの大きさに依存することから、表示部周縁における幅寸法を小さくすることが困難となる。
【０００７】
本発明は上述した点に鑑みてなされたものであって、最小限の部品点数によって薄型で軽量な表示装置を提供することにある。また、組立て作業性が良好で安価な表示装置を提供することにある。さらに、表示部周縁の幅寸法を小さくした狭額縁化を実現し、意匠性の高い表示装置を提供することにある。加えて、表示装置の重心位置を下げることでスタンドの小型化を図っても安定性のある表示装置を提供することにある。
【０００８】
請求項１に係る表示装置は、樹脂製のフロントベゼルと金属製のバックシャーシで形成される空間内に映像を表示する部材を内蔵して構成する表示パネルアッセンブリにおいて、前記映像を表示する部材には液晶セルと光源を含み、前記フロントベゼルと前記バックシャーシが装置の外観を成すことを特徴としている。
【０００９】
また、請求項２に係る表示装置は、請求項１に記載の表示装置であって、前記表示パネルアッセンブリの背面側において、少なくとも電源回路と制御回路を含む基板を覆う第１のカバー部材と、前記第１のカバー部材よりも下方位置で前記第１のカバー部材よりも水平方向に長く形成された他の構成部材を覆う第２のカバー部材とを配設し、前記第１のカバー部材と前記第２のカバー部材によって概略逆Ｔ字形状を成すことを特徴としている。
【００１０】
また、請求項３に係る表示装置は、請求項２に記載の表示装置であって、前記第２のカバー部材で覆うようにスピーカーを配設したことを特徴としている。
【００１１】
また、請求項４に係る表示装置は、請求項２または請求項３に記載の表示装置であって、前記表示パネルアッセンブリの構成部材には、光源と、液晶セルと、前記液晶セルとフレキシブルプリント配線板を介して接続された駆動回路基板を含み、前記光源は前記表示パネルアッセンブリの下方側に配設し、前記駆動回路基板は前記表示パネルアッセンブリの背面下側に配設し、少なくとも前記駆動回路基板は前記第２のカバー部材で覆われることを特徴としている。
【００１２】
また、請求項５に係る表示装置は、請求項２乃至請求項４の何れか１項に記載の表示装置であって、前記第１のカバー部材および／または前記第２のカバー部材を配設する箇所を除く前記表示パネルアッセンブリの背面側において、前記バックシャーシと一体に段部を形成したことを特徴としている。
【発明の効果】
【００１３】
以上のような本発明の構成によれば、表示パネルアッセンブリを構成する樹脂製のフロントベゼルが従来のフロントキャビネットを兼用し、金属製のバックシャーシが従来のバックキャビネットを兼用するため、前記表示パネルアッセンブリを基準に最小限の部品点数の組付けによって表示装置を構成出来、薄型で軽量な表示装置の提供が可能となる。また、表示パネルアッセンブリを基準に各種基板やスピーカー等の表示装置を構成する部品を順次組付けるだけの単純な作業によって表示装置を組立てることが出来、作業性の向上および安価な表示装置の提供が可能となる。さらに、フロントベゼルが従来のフロントキャビネットに代わって表示装置の外観を構成することで、前記フロントベゼルがそのまま表示装置における表示部周縁の幅寸法となることから、前記表示部周縁の狭額縁化が可能となり、意匠性の高い表示装置の提供が可能となる。加えて、表示装置の構成部品を表示パネルアッセンブリの比較的下側へ集約して配設することで、前記表示装置の重心を低い位置に定めることが出来、例えばスタンドの載置面積を小さくしても安易に転倒することの無い安定性のある表示装置の提供が可能となる。
【図面の簡単な説明】
【００１４】
【図１】本発明の実施例における表示装置を示す正面側斜視図。
【図２】本発明の実施例における表示パネルアッセンブリの構成を示す分解斜視図。
【図３】本発明の実施例におけるフロントベゼルの成形用金型を示す概略側面側断面図。
【図４】本発明の実施例におけるフロントベゼル単体の材料注入箇所を示す概略背面側部分拡大斜視図。
【図５】本発明の実施例における表示装置の構成を示す背面側分解斜視図。
【図６】本発明の実施例における第１のカバー部材の内面側を示す斜視図。
【図７】本発明の実施例における表示パネルアッセンブリの背面図。
【図８】本発明の別の実施例を示す表示パネルアッセンブリの背面図。
【図９】本発明の実施例における第２のカバー部材の内面側を示す分解斜視図。
【図１０】本発明の実施例における第１のカバー部材と第２のカバー部材の連結箇所を示す概略部分断面斜視図。
【図１１】本発明の実施例における表示装置を示す概略背面図。
【発明を実施するための形態】
【００１５】
以下、本発明を実施するための最良の形態としての実施例を図１〜図１１を用いて説明する。なお、本発明はその主旨に反しない範囲で、実施例において説明した構成以外のものに対しても容易に適用可能である。
【００１６】
図１は本発明の実施例における表示装置を示す正面側斜視図、図２は本発明の実施例における表示パネルアッセンブリの構成を示す分解斜視図である。同図の符号１００は表示装置、２００は前記表示装置１００の表示部を構成する表示パネルアッセンブリ、２０１はフロントベゼル、２０２は映像を表示する液晶セル、２０３は前記液晶セル２０２の後方側から光を透過する光源、２０４はバックシャーシ、２０５は前記光源２０３から照射される光を一方端面から受け入れて画面を均一に光らせるための導光板、２０６は前記導光板２０５によって誘導される光を拡散／集光するための光学シート、２０７は前記光学シート２０６の前方に位置するミドルフレーム、２０８は前記バックシャーシ２０４と前記導光板２０５の間に位置する反射シートを夫々表している。
【００１７】
本発明の実施例では、フロントベゼル２０１をポリスチレン等の樹脂材料で成形している。図３は本発明の実施例におけるフロントベゼルの成形用金型を示す概略側面側断面図、図４は本発明の実施例におけるフロントベゼル単体の材料注入箇所を示す概略背面側部分拡大斜視図である。同図で示すように、フロントベゼル２０１の背面側周縁の端部近傍には複数の材料注入箇所２０１ｊ，２０１ｊ，・・を設けている。そして、前記フロントベゼル２０１は固定側金型８００ｂにおいて材料の注入と成形品の離間を行うホットランナー成形で行っている。ホットランナー成形によって、スプルーやランナーの排出を抑えて成形品となるフロントベゼル２０１のみを排出することから余分な材料費を抑えることが出来る。また、材料注入箇所２０１ｊ，２０１ｊ，・・をフロントベゼル２０１の周縁端部近傍に設けることで、前記材料注入箇所２０１ｊと液晶セル２０２等の表示パネルアッセンブリ２００を構成する部品との干渉を防止出来る。そして、前記フロントベゼル２０１が表示パネルアッセンブリ２００の正面側を担うと共に、表示装置１００の正面側外装筐体を兼用しているため、別途正面側外装筐体を構成するフロントキャビネットが不要となり、薄型化および狭額縁化が可能な表示装置を提供することが出来る。なお、本発明におけるフロントベゼル２０１の材料はポリスチレンに限定するものではなく、一般的に樹脂と称される材料を適宜選定して用いれば良い。
【００１８】
また、本発明の実施例では、バックシャーシ２０４を鋼板等の金属部材で成形している。そして、前記バックシャーシ２０４が表示パネルアッセンブリ２００の背面側を担うと共に、表示装置１００の背面側外装筐体の一部を兼用しているため、別途背面側外装筐体を構成するバックキャビネットが不要となり、さらに薄型化が可能な表示装置を提供することが出来る。なお、本発明におけるバックシャーシ２０４の材料は鋼板に限定するものではなく、一般的に金属と称される材料を適宜選定して用いれば良い。
【００１９】
これらフロントベゼル２０１とバックシャーシ２０５を組付けることで形成される空間内には、液晶セル２０２および光源２０３を含む映像を表示するための各種部品を取付けることで表示パネルアッセンブリ２００が構成される。また、液晶セル２０２と駆動回路基板２０２ｂはフレキシブルプリント配線板２０２ｃ，２０２ｃ，・・を介して接続されている。そして、前記光源２０３は、前記表示パネルアッセンブリ２００の空間内において下方端部に配設され、前記駆動回路基板２０２ｂはバックシャーシ２０４の背面下側にねじ止めによって取付けられる。すなわち、前記表示パネルアッセンブリ２００の一方側に前記光源と前記駆動回路基板２０２ｂを配置することで、前記表示パネルアッセンブリ２００の他方側の厚み寸法を薄くすることが出来、表示部周縁の狭額縁化が一層可能となる。なお、本実施例の場合、表示パネルアッセンブリ２００の下方側に前記光源および前記駆動回路基板２０２ｂを集約して前記表示パネルアッセンブリ２００の上方側の厚み寸法を薄くする構成としているが、本発明は前述の構成に限定するものではなく上下左右の何れか一方に集約することが出来、表示装置の構造に応じて適宜選定すれば良い。
【００２０】
以上のように構成された表示パネルアッセンブリ２００は、樹脂製のフロントベゼル２０１によって従来のフロントキャビネットを兼用し、また、金属製のバックシャーシ２０４によって従来のバックキャビネットを兼用しているため、従来必要とされていた外装部品の削減に加え、表示装置の薄型化および軽量化、さらには表示部周縁の狭額縁化が実現可能となる。
【００２１】
つぎに、前記表示パネルアッセンブリ２００を含めた表示装置の構成について説明する。図５は本発明の実施例における表示装置の構成を示す背面側分解斜視図である。前記表示パネルアッセンブリ２００の背面下側には前述の駆動回路基板２０２ｂが取付けてあり、略中央付近には切起しや曲げ加工等によって基板取付部（図示なし）が形成されている。本実施例では、前記基板取付部に対し、表示装置に電源を供給するための電源回路を含む基板（以下、単に電源基板と称す）３０２と、外部から入力される信号を制御して表示パネルアッセンブリ２００の表示部たる液晶セル２０２へ表示するための制御回路を含む基板（以下、単に制御基板と称す）３０１を取付ける構造としている。そして、前記基板取付部に取付けられた前記電源基板３０２と前記制御基板３０１を覆う大きさのカバー部材（以下、第１のカバー部材と称す）４０１を取付けている。
【００２２】
図６は本発明の実施例における第１のカバー部材の内面側を示す斜視図である。同図で示すように、前記第１のカバー部材４０１の内部には前記電源基板３０２と前記制御基板３０１を仕切るための仕切リブ４０１ａが形成されている。これは、制御基板３０１の部品や線材が高電圧の電源基板３０２の部品に接触することによる破壊や故障の危険性を防止する目的で設けられている。なお、電源基板３０２および制御基板３０１の取付けは本実施例の構成に限定するものではなく、例えば、第１のカバー部材４０１の内面側に基板取付部を形成して前記基板を取付ける構成としても良い。また、本実施例は電源回路と制御回路を別々の基板とした構成で説明したが、電源回路と制御回路を１つの基板にまとめた構成であっても良い。
【００２３】
図７は本発明の実施例における表示パネルアッセンブリの背面図である。同図で示すように、前記バックシャーシ２０４には、絞り加工によって段部２０４ｋ，２０４ｋ，・・が連続形成されている。本実施例について具体的に詳述すれば、前記バックシャーシ２０４の全周と、前記バックシャーシ２０４を略三等分する位置に夫々前記段部２０４ｋ，２０４ｋ，・・を形成している。前記段部２０４ｋ，２０４ｋ，・・は、表示パネルアッセンブリ２００の補強効果に加え、前記バックシャーシ２０４の背面２０４ａと、前記背面２０４ａに取付けられる第１のカバー部材４０１との間の隙間を無くし、光源から照射される光が基板取付部等から表示装置１００の外部へ漏れるのを防止する効果を奏する。なお、前記表示パネルアッセンブリ２００の補強強化を目的に、前記段部２０４ｋ，２０４ｋ，・・に傾斜部分を追加して概略三角状としたり、複数の傾斜部分を直交して形成しても良い。図８は本発明の別の実施例を示す表示パネルアッセンブリの背面図である。同図で示すように、概略三角形状の段部２０４ｍ，２０４ｍを設けることで表示パネルアッセンブリ２００の強度をさらに高めることが出来る。
【００２４】
図９は本発明の実施例における第２のカバー部材の内面側を示す分解斜視図、図１０は本発明の実施例における第１のカバー部材と第２のカバー部材の連結箇所を示す概略部分断面斜視図、図１１は本発明の実施例における表示装置を示す概略背面図である。前記駆動回路基板２０２ｂおよび前記支持板５００が取付けられた表示パネルアッセンブリ２００の背面下側を覆う大きさのカバー部材（以下、第２のカバー部材と称す）４０２を取付けており、同図で示すように、本実施例では、第２のカバー部材４０２にスピーカー取付部４０２ａ，４０２ａと、操作部４０２ｂと、操作基板取付部４０２ｃと、受発光基板取付部４０２ｄが形成されている。
【００２５】
前記第２のカバー部材４０２に形成されたスピーカー取付部４０２ａ，４０２ａには、ダンパー７００ａ，７００ａ，・・を介してスピーカー７００，７００が取付けられる。また、前記第２のカバー部材４０２の一方側面には、複数の押圧部を有する操作部４０２ｂが一体に形成されており、前記操作部４０２ｂの内面側には複数のスイッチが配設された操作基板３０３を取付けるための操作基板取付部４０２ｃが形成されている。そして、前記操作基板取付部４０２ｃに前記操作基板３０３が取付けられている。さらに、前記第２のカバー部材４０２には、受光部と発光部が配設された受発光基板３０４を取付けるための受発光基板取付部４０２ｄが形成されている。そして、前記受発光基板取付部４０２ｄに前記受発光基板３０４が取付けられている。なお、表示パネルアッセンブリ２００に前記第２のカバー部材を取付けることで前記受発光基板３０４と対向位置にあるフロントベゼル２０１には、表示装置１００を遠隔操作するリモコンの信号を受光部へ誘導する受光誘導部２０１ｈと、前記表示装置１００の状態を視覚的に認識するための発光部の光を外部へ誘導する発光誘導部２０１ｉが設けられている。
【００２６】
さらに、前記第１のカバー部材４０１と前記第２のカバー部材４０２は、表示パネルアッセンブリ２００の背面側に取付けることで連結する構造としている。すなわち、前記第１のカバー部材４０１の下方側には、ねじを挿通する締結ボス４０１ｃを設け、前記第２のカバー部材４０２の上方側には、前記締結ボス４０１ｃと重合してねじを挿通する連結ボス４０２ｉを設けている。そして、前記第１のカバー部材４０１と前記第２のカバー部材４０２を前記表示パネルアッセンブリ２００の背面側に取付け、締結ボス４０１ｃと連結ボス４０２ｉを重合し、ねじにて締結することで、前記第１のカバー部材４０１と前記第２のカバー部材４０２を連結した状態で取付けることが出来る。
【００２７】
前記第１のカバー部材４０１と前記第２のカバー部材４０２を連結することで概略逆Ｔ字形状を成し、前記表示装置１００の補強が可能となる。具体的には、前記表示パネルアッセンブリ２００の幅とほぼ同じ寸法を有する第２のカバー部材４０２を取付けることで前記表示装置１００の横方向の剛性をもたせることが出来、さらに第１のカバー部材４０１を前記第２のカバー部材４０２と連結することで、前記表示装置１００の縦方向の剛性をもたせることが出来る。
【００２８】
なお、本発明の実施例では、表示パネルアッセンブリ２００の背面側を成すバックシャーシ２０４を第１のカバー部材４０１と第２のカバー部材４０２と同色で塗装するのが望ましく、特に黒色で塗装するのが好ましい。これは、前記バックシャーシ２０４の一部が、第１のカバー部材４０１と第２のカバー部材４０２と共に表示装置１００の背面外装部分となるためである。また、別の効果として、前記バックシャーシ２０４を黒色で塗装することにより、各種基板に配設された発熱部品の放熱効果が望める。
【００２９】
以上、本発明の実施例について詳述したが、本発明は前記実施例に限定されるものではなく、本発明の主旨の範囲内で種々の変形実施が可能である。
【符号の説明】
【００３０】
１００    表示装置
２００    表示パネルアッセンブリ
２０１    フロントベゼル
２０１ｈ  受光誘導部
２０１ｉ  発光誘導部
２０１ｊ  材料注入箇所
２０２    液晶セル
２０２ｂ  駆動回路基板
２０２ｃ  フレキシブルプリント配線板
２０３    光源
２０４    バックシャーシ
２０４ｋ  段部
２０４ｍ  段部
２０５    導光板
２０６    光学シート
２０７    ミドルフレーム
２０８    反射シート
３０１    制御基板
３０２    電源基板
３０３    操作基板
３０４    受発光基板
４０１    第１のカバー部材
４０１ａ  仕切リブ
４０１ｃ  締結ボス
４０２    第２のカバー部材
４０２ａ  スピーカー取付部
４０２ｂ  操作部
４０２ｃ  操作基板取付部
４０２ｄ  受発光基板取付部
４０２ｅ  微細孔
４０２ｉ  連結ボス
５００    支持板
６００    スタンド
７００    スピーカー
７００ａ  ダンパー
８００    金型
８００ａ  可動側金型
８００ｂ  固定側金型
【手続補正書】
【提出日】平成25年10月1日(2013.10.1)
【手続補正１】
【補正対象書類名】特許請求の範囲
【補正対象項目名】全文
【補正方法】変更
【補正の内容】
【特許請求の範囲】
【請求項１】
樹脂製のフロントベゼルと金属製のバックシャーシで形成される空間内に映像を表示する部材を内蔵して構成する表示パネルアッセンブリにおいて、前記映像を表示する部材には液晶セルと光源を含み、前記フロントベゼルと前記バックシャーシが装置の外観を成し、前記表示パネルアッセンブリの背面側において、少なくとも電源回路と制御回路を含む基板を覆う第１のカバー部材と他の構成部材を覆う第２のカバー部材を配設することを特徴とする表示装置。
【請求項２】
前記第１のカバー部材よりも下方位置で前記第１のカバー部材よりも水平方向に長く形成された前記第２のカバー部材によって概略逆Ｔ字形状を成すことを特徴とする請求項１に記載の表示装置。
【請求項３】
前記第２のカバー部材で覆うようにスピーカーを配設したことを特徴とする請求項２に記載の表示装置。
【請求項４】
前記表示パネルアッセンブリの構成部材には、光源と、液晶セルと、前記液晶セルとフレキシブルプリント配線板を介して接続された駆動回路基板を含み、前記光源は前記表示パネルアッセンブリの下方側に配設し、前記駆動回路基板は前記表示パネルアッセンブリの背面下側に配設し、少なくとも前記駆動回路基板は前記第２のカバー部材で覆われることを特徴とする請求項２または請求項３に記載の表示装置。
【請求項５】
前記第１のカバー部材および／または前記第２のカバー部材を配設する箇所を除く前記表示パネルアッセンブリの背面側において、前記バックシャーシと一体に段部を形成したことを特徴とする請求項２乃至請求項４の何れか１項に記載の表示装置。
【手続補正２】
【補正対象書類名】明細書
【補正対象項目名】全文
【補正方法】変更
【補正の内容】
【発明の詳細な説明】
【技術分野】
【０００１】
本発明は、映像を表示するモニターやテレビジョン受像機などの表示装置に関する。
【背景技術】
【０００２】
近年の表示装置は、高さ寸法及び幅寸法に比べて奥行き寸法が小さい液晶セルを備えた薄型の表示装置が主流となっている。このような薄型の表示装置には、電源を供給するための回路基板や、外部から入力される信号を制御して前記液晶セルに映像を表示させるための回路基板などが取付けられており、構造の簡素化や表示装置の軽量化、薄型化、或いは意匠性の向上を図るためにさまざまな工夫が施されている。
【０００３】
例えば、特許文献１では、表示窓を備えたフロントキャビネットと、このフロントキャビネットの後方に配置されるバックキャビネットによって構成される筐体の内部に、補強板を基準として、映像を表示する部材をフロントベゼルとバックシャーシで形成される空間内に内蔵して構成される表示パネルアッセンブリと各種回路基板を取付け一体化したものを取付ける構造とし、表示装置の組立て工数の低減及び表示装置の薄型化を実現した内容が記載されている。
【０００４】
また、特許文献２では、シャーシを基準として表示パネルアッセンブリと、各種基板と、スピーカーを含む全ての内部構成部品を取付けた後にフロントキャビネットとバックキャビネットを取付ける構造とし、表示装置の組立て作業及びメンテナンス作業の簡略化、さらにはフロントキャビネット及びバックキャビネットの形状簡素化を実現した内容が記載されている。
【０００５】
【特許文献１】特開２０００−３１５０５４号公報
【特許文献２】特開２００７−１６３８６１号公報
【発明の開示】
【発明が解決しようとする課題】
【０００６】
特許文献１及び特許文献２の構造によれば、補強板或いはシャーシに表示装置を構成する内部構成部品の一部若しくは全部を取付け一体化することによる組立て作業性の改善が望めるが、換言すれば、内部構成部品の一体化を図るために補強板やシャーシといった部品が必要になることから結果として部品点数が増加する。また、補強板或いはシャーシを基準に内部構成部品の取付けを行い、フロントキャビネットとバックキャビネットによって装置の外観を構成することから薄型化が困難となる。さらに、補強板或いはシャーシと一体化した内部構成部品を取付けるだけの大きさでフロントキャビネットとバックキャビネットを形成しており、特に表示パネルの前面側に位置するフロントキャビネットは、後方側より取付けられるバックキャビネットの大きさに依存することから、表示部周縁における幅寸法を小さくすることが困難となる。
【０００７】
本発明は上述した点に鑑みてなされたものであって、最小限の部品点数によって薄型で軽量な表示装置を提供することにある。また、組立て作業性が良好で安価な表示装置を提供することにある。さらに、表示部周縁の幅寸法を小さくした狭額縁化を実現し、意匠性の高い表示装置を提供することにある。加えて、表示装置の重心位置を下げることでスタンドの小型化を図っても安定性のある表示装置を提供することにある。
【０００８】
請求項１に係る表示装置は、樹脂製のフロントベゼルと金属製のバックシャーシで形成される空間内に映像を表示する部材を内蔵して構成する表示パネルアッセンブリにおいて、前記映像を表示する部材には液晶セルと光源を含み、前記フロントベゼルと前記バックシャーシが装置の外観を成し、前記表示パネルアッセンブリの背面側において、少なくとも電源回路と制御回路を含む基板を覆う第１のカバー部材と他の構成部材を覆う第２のカバー部材を配設することを特徴としている。
【０００９】
また、請求項２に係る表示装置は、請求項１に記載の表示装置であって、前記第１のカバー部材よりも下方位置で前記第１のカバー部材よりも水平方向に長く形成された第２のカバー部材を配設し、前記第１のカバー部材と前記第２のカバー部材によって概略逆Ｔ字形状を成すことを特徴としている。
【００１０】
また、請求項３に係る表示装置は、請求項２に記載の表示装置であって、前記第２のカバー部材で覆うようにスピーカーを配設したことを特徴としている。
【００１１】
また、請求項４に係る表示装置は、請求項２または請求項３に記載の表示装置であって、前記表示パネルアッセンブリの構成部材には、光源と、液晶セルと、前記液晶セルとフレキシブルプリント配線板を介して接続された駆動回路基板を含み、前記光源は前記表示パネルアッセンブリの下方側に配設し、前記駆動回路基板は前記表示パネルアッセンブリの背面下側に配設し、少なくとも前記駆動回路基板は前記第２のカバー部材で覆われることを特徴としている。
【００１２】
また、請求項５に係る表示装置は、請求項２乃至請求項４の何れか１項に記載の表示装置であって、前記第１のカバー部材および／または前記第２のカバー部材を配設する箇所を除く前記表示パネルアッセンブリの背面側において、前記バックシャーシと一体に段部を形成したことを特徴としている。
【発明の効果】
【００１３】
以上のような本発明の構成によれば、表示パネルアッセンブリを構成する樹脂製のフロントベゼルが従来のフロントキャビネットを兼用し、金属製のバックシャーシが従来のバックキャビネットを兼用するため、前記表示パネルアッセンブリを基準に最小限の部品点数の組付けによって表示装置を構成出来、薄型で軽量な表示装置の提供が可能となる。また、表示パネルアッセンブリを基準に各種基板やスピーカー等の表示装置を構成する部品を順次組付けるだけの単純な作業によって表示装置を組立てることが出来、作業性の向上および安価な表示装置の提供が可能となる。さらに、フロントベゼルが従来のフロントキャビネットに代わって表示装置の外観を構成することで、前記フロントベゼルがそのまま表示装置における表示部周縁の幅寸法となることから、前記表示部周縁の狭額縁化が可能となり、意匠性の高い表示装置の提供が可能となる。加えて、表示装置の構成部品を表示パネルアッセンブリの比較的下側へ集約して配設することで、前記表示装置の重心を低い位置に定めることが出来、例えばスタンドの載置面積を小さくしても安易に転倒することの無い安定性のある表示装置の提供が可能となる。
【図面の簡単な説明】
【００１４】
【図１】本発明の実施例における表示装置を示す正面側斜視図。
【図２】本発明の実施例における表示パネルアッセンブリの構成を示す分解斜視図。
【図３】本発明の実施例におけるフロントベゼルの成形用金型を示す概略側面側断面図。
【図４】本発明の実施例におけるフロントベゼル単体の材料注入箇所を示す概略背面側部分拡大斜視図。
【図５】本発明の実施例における表示装置の構成を示す背面側分解斜視図。
【図６】本発明の実施例における第１のカバー部材の内面側を示す斜視図。
【図７】本発明の実施例における表示パネルアッセンブリの背面図。
【図８】本発明の別の実施例を示す表示パネルアッセンブリの背面図。
【図９】本発明の実施例における第２のカバー部材の内面側を示す分解斜視図。
【図１０】本発明の実施例における第１のカバー部材と第２のカバー部材の連結箇所を示す概略部分断面斜視図。
【図１１】本発明の実施例における表示装置を示す概略背面図。
【発明を実施するための形態】
【００１５】
以下、本発明を実施するための最良の形態としての実施例を図１〜図１１を用いて説明する。なお、本発明はその主旨に反しない範囲で、実施例において説明した構成以外のものに対しても容易に適用可能である。
【００１６】
図１は本発明の実施例における表示装置を示す正面側斜視図、図２は本発明の実施例における表示パネルアッセンブリの構成を示す分解斜視図である。同図の符号１００は表示装置、２００は前記表示装置１００の表示部を構成する表示パネルアッセンブリ、２０１はフロントベゼル、２０２は映像を表示する液晶セル、２０３は前記液晶セル２０２の後方側から光を透過する光源、２０４はバックシャーシ、２０５は前記光源２０３から照射される光を一方端面から受け入れて画面を均一に光らせるための導光板、２０６は前記導光板２０５によって誘導される光を拡散／集光するための光学シート、２０７は前記光学シート２０６の前方に位置するミドルフレーム、２０８は前記バックシャーシ２０４と前記導光板２０５の間に位置する反射シートを夫々表している。
【００１７】
本発明の実施例では、フロントベゼル２０１をポリスチレン等の樹脂材料で成形している。図３は本発明の実施例におけるフロントベゼルの成形用金型を示す概略側面側断面図、図４は本発明の実施例におけるフロントベゼル単体の材料注入箇所を示す概略背面側部分拡大斜視図である。同図で示すように、フロントベゼル２０１の背面側周縁の端部近傍には複数の材料注入箇所２０１ｊ，２０１ｊ，・・を設けている。そして、前記フロントベゼル２０１は固定側金型８００ｂにおいて材料の注入と成形品の離間を行うホットランナー成形で行っている。ホットランナー成形によって、スプルーやランナーの排出を抑えて成形品となるフロントベゼル２０１のみを排出することから余分な材料費を抑えることが出来る。また、材料注入箇所２０１ｊ，２０１ｊ，・・をフロントベゼル２０１の周縁端部近傍に設けることで、前記材料注入箇所２０１ｊと液晶セル２０２等の表示パネルアッセンブリ２００を構成する部品との干渉を防止出来る。そして、前記フロントベゼル２０１が表示パネルアッセンブリ２００の正面側を担うと共に、表示装置１００の正面側外装筐体を兼用しているため、別途正面側外装筐体を構成するフロントキャビネットが不要となり、薄型化および狭額縁化が可能な表示装置を提供することが出来る。なお、本発明におけるフロントベゼル２０１の材料はポリスチレンに限定するものではなく、一般的に樹脂と称される材料を適宜選定して用いれば良い。
【００１８】
また、本発明の実施例では、バックシャーシ２０４を鋼板等の金属部材で成形している。そして、前記バックシャーシ２０４が表示パネルアッセンブリ２００の背面側を担うと共に、表示装置１００の背面側外装筐体の一部を兼用しているため、別途背面側外装筐体を構成するバックキャビネットが不要となり、さらに薄型化が可能な表示装置を提供することが出来る。なお、本発明におけるバックシャーシ２０４の材料は鋼板に限定するものではなく、一般的に金属と称される材料を適宜選定して用いれば良い。
【００１９】
これらフロントベゼル２０１とバックシャーシ２０５を組付けることで形成される空間内には、液晶セル２０２および光源２０３を含む映像を表示するための各種部品を取付けることで表示パネルアッセンブリ２００が構成される。また、液晶セル２０２と駆動回路基板２０２ｂはフレキシブルプリント配線板２０２ｃ，２０２ｃ，・・を介して接続されている。そして、前記光源２０３は、前記表示パネルアッセンブリ２００の空間内において下方端部に配設され、前記駆動回路基板２０２ｂはバックシャーシ２０４の背面下側にねじ止めによって取付けられる。すなわち、前記表示パネルアッセンブリ２００の一方側に前記光源と前記駆動回路基板２０２ｂを配置することで、前記表示パネルアッセンブリ２００の他方側の厚み寸法を薄くすることが出来、表示部周縁の狭額縁化が一層可能となる。なお、本実施例の場合、表示パネルアッセンブリ２００の下方側に前記光源および前記駆動回路基板２０２ｂを集約して前記表示パネルアッセンブリ２００の上方側の厚み寸法を薄くする構成としているが、本発明は前述の構成に限定するものではなく上下左右の何れか一方に集約することが出来、表示装置の構造に応じて適宜選定すれば良い。
【００２０】
以上のように構成された表示パネルアッセンブリ２００は、樹脂製のフロントベゼル２０１によって従来のフロントキャビネットを兼用し、また、金属製のバックシャーシ２０４によって従来のバックキャビネットを兼用しているため、従来必要とされていた外装部品の削減に加え、表示装置の薄型化および軽量化、さらには表示部周縁の狭額縁化が実現可能となる。
【００２１】
つぎに、前記表示パネルアッセンブリ２００を含めた表示装置の構成について説明する。図５は本発明の実施例における表示装置の構成を示す背面側分解斜視図である。前記表示パネルアッセンブリ２００の背面下側には前述の駆動回路基板２０２ｂが取付けてあり、略中央付近には切起しや曲げ加工等によって基板取付部（図示なし）が形成されている。本実施例では、前記基板取付部に対し、表示装置に電源を供給するための電源回路を含む基板（以下、単に電源基板と称す）３０２と、外部から入力される信号を制御して表示パネルアッセンブリ２００の表示部たる液晶セル２０２へ表示するための制御回路を含む基板（以下、単に制御基板と称す）３０１を取付ける構造としている。そして、前記基板取付部に取付けられた前記電源基板３０２と前記制御基板３０１を覆う大きさのカバー部材（以下、第１のカバー部材と称す）４０１を取付けている。
【００２２】
図６は本発明の実施例における第１のカバー部材の内面側を示す斜視図である。同図で示すように、前記第１のカバー部材４０１の内部には前記電源基板３０２と前記制御基板３０１を仕切るための仕切リブ４０１ａが形成されている。これは、制御基板３０１の部品や線材が高電圧の電源基板３０２の部品に接触することによる破壊や故障の危険性を防止する目的で設けられている。なお、電源基板３０２および制御基板３０１の取付けは本実施例の構成に限定するものではなく、例えば、第１のカバー部材４０１の内面側に基板取付部を形成して前記基板を取付ける構成としても良い。また、本実施例は電源回路と制御回路を別々の基板とした構成で説明したが、電源回路と制御回路を１つの基板にまとめた構成であっても良い。
【００２３】
図７は本発明の実施例における表示パネルアッセンブリの背面図である。同図で示すように、前記バックシャーシ２０４には、絞り加工によって段部２０４ｋ，２０４ｋ，・・が連続形成されている。本実施例について具体的に詳述すれば、前記バックシャーシ２０４の全周と、前記バックシャーシ２０４を略三等分する位置に夫々前記段部２０４ｋ，２０４ｋ，・・を形成している。前記段部２０４ｋ，２０４ｋ，・・は、表示パネルアッセンブリ２００の補強効果に加え、前記バックシャーシ２０４の背面２０４ａと、前記背面２０４ａに取付けられる第１のカバー部材４０１との間の隙間を無くし、光源から照射される光が基板取付部等から表示装置１００の外部へ漏れるのを防止する効果を奏する。なお、前記表示パネルアッセンブリ２００の補強強化を目的に、前記段部２０４ｋ，２０４ｋ，・・に傾斜部分を追加して概略三角状としたり、複数の傾斜部分を直交して形成しても良い。図８は本発明の別の実施例を示す表示パネルアッセンブリの背面図である。同図で示すように、概略三角形状の段部２０４ｍ，２０４ｍを設けることで表示パネルアッセンブリ２００の強度をさらに高めることが出来る。
【００２４】
図９は本発明の実施例における第２のカバー部材の内面側を示す分解斜視図、図１０は本発明の実施例における第１のカバー部材と第２のカバー部材の連結箇所を示す概略部分断面斜視図、図１１は本発明の実施例における表示装置を示す概略背面図である。前記駆動回路基板２０２ｂおよび前記支持板５００が取付けられた表示パネルアッセンブリ２００の背面下側を覆う大きさのカバー部材（以下、第２のカバー部材と称す）４０２を取付けており、同図で示すように、本実施例では、第２のカバー部材４０２にスピーカー取付部４０２ａ，４０２ａと、操作部４０２ｂと、操作基板取付部４０２ｃと、受発光基板取付部４０２ｄが形成されている。
【００２５】
前記第２のカバー部材４０２に形成されたスピーカー取付部４０２ａ，４０２ａには、ダンパー７００ａ，７００ａ，・・を介してスピーカー７００，７００が取付けられる。また、前記第２のカバー部材４０２の一方側面には、複数の押圧部を有する操作部４０２ｂが一体に形成されており、前記操作部４０２ｂの内面側には複数のスイッチが配設された操作基板３０３を取付けるための操作基板取付部４０２ｃが形成されている。そして、前記操作基板取付部４０２ｃに前記操作基板３０３が取付けられている。さらに、前記第２のカバー部材４０２には、受光部と発光部が配設された受発光基板３０４を取付けるための受発光基板取付部４０２ｄが形成されている。そして、前記受発光基板取付部４０２ｄに前記受発光基板３０４が取付けられている。なお、表示パネルアッセンブリ２００に前記第２のカバー部材を取付けることで前記受発光基板３０４と対向位置にあるフロントベゼル２０１には、表示装置１００を遠隔操作するリモコンの信号を受光部へ誘導する受光誘導部２０１ｈと、前記表示装置１００の状態を視覚的に認識するための発光部の光を外部へ誘導する発光誘導部２０１ｉが設けられている。
【００２６】
さらに、前記第１のカバー部材４０１と前記第２のカバー部材４０２は、表示パネルアッセンブリ２００の背面側に取付けることで連結する構造としている。すなわち、前記第１のカバー部材４０１の下方側には、ねじを挿通する締結ボス４０１ｃを設け、前記第２のカバー部材４０２の上方側には、前記締結ボス４０１ｃと重合してねじを挿通する連結ボス４０２ｉを設けている。そして、前記第１のカバー部材４０１と前記第２のカバー部材４０２を前記表示パネルアッセンブリ２００の背面側に取付け、締結ボス４０１ｃと連結ボス４０２ｉを重合し、ねじにて締結することで、前記第１のカバー部材４０１と前記第２のカバー部材４０２を連結した状態で取付けることが出来る。
【００２７】
前記第１のカバー部材４０１と前記第２のカバー部材４０２を連結することで概略逆Ｔ字形状を成し、前記表示装置１００の補強が可能となる。具体的には、前記表示パネルアッセンブリ２００の幅とほぼ同じ寸法を有する第２のカバー部材４０２を取付けることで前記表示装置１００の横方向の剛性をもたせることが出来、さらに第１のカバー部材４０１を前記第２のカバー部材４０２と連結することで、前記表示装置１００の縦方向の剛性をもたせることが出来る。
【００２８】
なお、本発明の実施例では、表示パネルアッセンブリ２００の背面側を成すバックシャーシ２０４を第１のカバー部材４０１と第２のカバー部材４０２と同色で塗装するのが望ましく、特に黒色で塗装するのが好ましい。これは、前記バックシャーシ２０４の一部が、第１のカバー部材４０１と第２のカバー部材４０２と共に表示装置１００の背面外装部分となるためである。また、別の効果として、前記バックシャーシ２０４を黒色で塗装することにより、各種基板に配設された発熱部品の放熱効果が望める。
【００２９】
以上、本発明の実施例について詳述したが、本発明は前記実施例に限定されるものではなく、本発明の主旨の範囲内で種々の変形実施が可能である。
【符号の説明】
【００３０】
１００    表示装置
２００    表示パネルアッセンブリ
２０１    フロントベゼル
２０１ｈ  受光誘導部
２０１ｉ  発光誘導部
２０１ｊ  材料注入箇所
２０２    液晶セル
２０２ｂ  駆動回路基板
２０２ｃ  フレキシブルプリント配線板
２０３    光源
２０４    バックシャーシ
２０４ｋ  段部
２０４ｍ  段部
２０５    導光板
２０６    光学シート
２０７    ミドルフレーム
２０８    反射シート
３０１    制御基板
３０２    電源基板
３０３    操作基板
３０４    受発光基板
４０１    第１のカバー部材
４０１ａ  仕切リブ
４０１ｃ  締結ボス
４０２    第２のカバー部材
４０２ａ  スピーカー取付部
４０２ｂ  操作部
４０２ｃ  操作基板取付部
４０２ｄ  受発光基板取付部
４０２ｅ  微細孔
４０２ｉ  連結ボス
５００    支持板
６００    スタンド
７００    スピーカー
７００ａ  ダンパー
８００    金型
８００ａ  可動側金型
８００ｂ  固定側金型